(57)【特許請求の範囲】
【請求項１】
中間部分（３）の全幅がその端部（４、５）の全幅よりも大きい、端部（４）と端部（５）とを通る平面において、中間部分（３）が実質的に長円形の断面形状を有する製品（２）と、厚紙シート又は段ボール材料でできた底（６）及びふた（７）を含む箱とを含むパッケージであって、
ふた（７）が、上壁（１０）によって互いに接続された二つの側壁（８、９；１１０、１１２）を含み、
下壁及び上壁が、中間部分（３）の全幅よりも小さい又はそれに等しい幅を有し、
側壁（８、９）が、互いに対向して規則的な間隔で離間した開口（１１）であって、製品（２）の中間部分（３）が開口（１１）と接触しながら、中間部分（３）の一部が開口（１１）から突出することによって、前記製品の各中間部分（３）をきつく詰めることを可能にするように配置された開口（１１）によって穿孔され、
底及びふたは、互いから手で切り離すことができる二つの分離した要素によって形成され、すなわち第一の要素は底を形成し、第二の要素はふたを形成し、
底が、端部折りたたみ部分によって中央壁に対して垂直に互いに固定された四つの側壁が接続された中央壁によって形成された陳列トレーを構成し、
第一の要素と第二の要素は、手により箱の横方向外側に引くことによって取り外せる、
ことを特徴とするパッケージ。
【請求項２】
上壁（１０）が、規則的な間隔で離間した開口（１２）であって、製品（２）の各上端（４）近傍領域が開口（１２）と接触しながら、各上端（４）近傍領域が開口（１２）から突出することによって、前記製品の各上端（４）近傍領域をきつく詰めることを可能にするように配置された開口（１２）によって規則的な間隔で穿孔される、
ことを特徴とする請求項１記載のパッケージ。
【請求項３】
第二の要素が、一連の三つのフラップ（８、９、１０）、すなわち、上壁を形成する中央フラップ（１０）及び側壁を形成する二つの側方フラップ（８、９）を含むブランクから形成され、それらの下寄り周囲部分が、トレーに対向して二つの側壁にそれぞれ固定されている、請求項１及び２のいずれか１項記載のパッケージ。
【請求項４】
下寄り周囲部分が、引き裂きによるトレー／ふたの切り離しを可能にする脆いタブ（３５）を含む、請求項３記載のパッケージ。
【請求項５】
ふたの側壁の下寄り周囲部分及びトレーの側壁が、スナップ嵌め接続によって一方を他方に固定するための手段（３９、５３、５４）を含む、請求項４記載のパッケージ。
【請求項６】
ふたの側壁が、その周囲に、折り返されてトレーの底の下に接着されることができる接着タブ（３４、６１′、６３′）を含む、請求項３記載のパッケージ。
【請求項７】
箱は、製品の端部が詰められることによって、製品の位置を保持する切り欠き（９０）を備えた内部コーナー（９２、９３）を含む、請求項１記載のパッケージ。
【請求項８】
段ボール材料で形成される、
ことを特徴とする請求項１〜７のいずれか１項記載のパッケージ用の箱。
【請求項９】
中間部分（３）の全幅がその端部（４、５）の全幅よりも大きい、端部（４）と端部（５）とを通る平面において、中間部分（３）が実質的に長円形の断面形状を有する製品（２）のための、底及びふたを備えた包装箱を形成するための、厚紙シート又は段ボール材料でできた、二つのブランク（１３、１４）のセットであって、
底を形成することができる第一のブランク（１３）及びふたを形成することができる、第一のブランク（１３）に固定されるための第二のブランク（１４）を含み、
第一のブランク（１３）が、陳列トレーを形成するように配設され、その各縁で四つの側方フラップ（１８、１９）に接続された底の下壁を形成する長方形又は実質的に長方形の中央フラップ（１５）を含み、その少なくとも二つが端部折りたたみ部分（２０）を備え、
第二のブランク（１４）が、ふたの上壁を形成することができる上フラップ（１０）によって互いに接続された、前記ふたの側壁を形成することができる二つの側方フラップ（８、９）を含む、ふたを形成することができる一連の三つのフラップ（８、９、１０）により形成され、
第二のブランク（１４）がひとたびトレーに形成されると、手により箱の横方向外側に引くことによって取り外すことができるように、それらの外部周辺部分が、第一のブランクに対向して二つの側壁にそれぞれ固定されるように配設され、
下壁及び上壁が、中間部分（３）の全幅よりも小さい又はそれに等しい幅を有し、
前記側方フラップ（８、９）が、規則的な間隔で離間した開口（１１）であって、製品（２）の中間部分（３）が開口（１１）と接触しながら、中間部分（３）の一部が開口（１１）から突出することによって、箱が形成されたとき前記製品の各中間部分（３）をきつく詰めることを可能にするように互いに対向して配設された開口（１１）によって穿孔される、
ことを特徴とする二つのブランクのセット。
【請求項１０】
上フラップ（１０）が、規則的な間隔で離間した開口（１２）であって、製品（２）の各上端（４）近傍領域が開口（１２）と接触しながら、各上端（４）近傍領域が開口（１２）から突出することによって、箱が形成されたとき前記製品の各上端（４）近傍領域をきつく詰めることを可能にするように配置された開口（１２）によって穿孔される、請求項９記載の二つのブランクのセット。
【請求項１１】
ふたの側壁の下寄り周囲部分及びトレーの側壁が、スナップ嵌め接続によって一方を他方に固定するための手段（３９、５３、５４）を含む、請求項９記載の二つのブランクのセット。
【請求項１２】
側方フラップの下寄り周囲部分が、引き裂きによるトレー／ふたの切り離しを可能にする脆いタブ（３５）を含む、請求項９記載の二つのブランクのセット。
【請求項１３】
ブランクの少なくとも一つが、箱が形成されたとき製品の端部が詰められることによって、製品の位置を保持する切り欠き（９０）を備えた内部コーナーを形成するように配設された部分的にプレカットされた部分（９２、９３）を含む、請求項１２記載の二つのブランクのセット。
【発明の詳細な説明】
【技術分野】
【０００１】
本発明は、フラスコ又はガラスもしくはプラスチックボトルのような、中間部分の全幅がその端部の全幅よりも大きい実質的に長円形の製品のための包装箱であって、厚紙シート又は段ボール材料でできた底及びふたを含む箱に関する。
【背景技術】
【０００２】
本発明はまた、そのような包装箱を得ることを可能にするブランク又はブランクのセットに関する。
【０００３】
フラスコ又はプラスチックボトルに入った製品（たとえばシャンプー、クリーム、シャワージェルなど）を包装する方法であって、特に、収縮包装を、厚紙の支持シートとともに又は厚紙の支持シートなしで、多くの場合、製品４〜１０個のバッチで使用する方法が公知である。
【０００４】
このような包装は、パッケージの全幅を抑えることを可能にし、プラスチックフィルムが非常に薄いため、全幅は実際、フラスコの幅そのものに実質的に一致する。
【０００５】
しかし、このタイプの包装には欠点がある。
【０００６】
より具体的には、製品を棚の上に積み上げ、棚の上に個別に配置するためには、プラスチックフィルムを破らなければならない。その結果、取り扱いの繰り返しに伴って時間の損失が生じ、そのうえ、製品を整列させて配置する問題が加わる。
【０００７】
また、消費者が製品を棚に戻すとき、誤った向きでの配置及び／又は安定性の欠如による落下の危険が認められる。
【０００８】
フィルムは時間とともに伸びる傾向を有するため、収縮包装された製品をパレットに載せることはさらに不安定である。また、上流のオーブンの温度に関連する偶発的なランダムな収縮状態、プラスチックフィルムが連続的に配置されるときのプラスチックフィルム巻き出し速度のタイミングの悪い変化又はしばしば管理がお粗末な、使用されるプラスチックの品質そのものの点で、パッケージが形成されるとき製造の不具合及び／又は配置の不具合があったかもしれない。
【０００９】
最後に、そのようなパッケージを用いると、製品はプラスチックで実質的に完全に覆われるが、帯電現象の存在を考慮すると、長期貯蔵中にほこりが製品に付着する可能性がある。
【００１０】
結論として、厚紙タイプの包装と比較した場合のプラスチックフィルムの利点は、特に、低い材料コスト及び高い包装速度であるが、プラスチックフィルムは欠点を抱えている。
【００１１】
また、上述したプラスチックフィルムの欠点を有しない、ふた付きのトレーの形態又は包装材の形態の厚紙でできたパッケージが公知であるが、かさばりすぎるため、他の点では満足なものではない。
【００１２】
より具体的には、そのようなパッケージは、横並びでパレットに載せられた場合、過度な厚さを有する。
【００１３】
その結果、パッケージの層の全幅が、プラスチックフィルムを用いる場合よりも大きくなる。
【００１４】
したがって、この過度な厚さは、パレット上での貯蔵の利点を最大化するように特定に設計されたプラスチックでの包装に対して制約的であることがわかる。
【００１５】
より具体的には、最大５cmの合計差が認められ、パッケージはパレットの縁から張り出すことができないため、それが、使用可能容積の損失を招く。
【００１６】
また、製品をきつく詰めることを可能にする包装シートが公知であるが（ＦＲ２−２１５−３５４）、この包装シートは、製品にきつく装着されるために複雑な装備を要するという事実に加えて、良好なパレット積載に必要な安定性及び剛性を与えない。
【発明の開示】
【００１７】
したがって、本発明は、まず、プラスチックフィルムの形態にあるのか厚紙の形態にあるのかにかかわらず、従来技術の包装のタイプの利点を提示しながらも、従来技術の包装の上述の欠点を解消することを目的とする。
【００１８】
そのうえ、ユーザは、本発明によって可能になる、「すぐに小売りに備えられる」タイプの包装、すなわち、棚の上に積み上げやすく、製品の販売促進を可能にする包装をますます求めているということが認められる。
【００１９】
したがって、本発明は、実経験の要求に対して既知のものよりも良好に対応する包装箱及びブランクのセットを提供することを目的とする。特に、棚の上に配置することができ、したがって製品の販売促進を保証することを可能にし、エコロジー的に安全ではない収縮包装の廃止を可能にしながらも、その物流管理的利点を維持する、すなわち、厚紙に伴う過度の厚さのせいでパレットが製品で埋められる程度を減らさない、部分的にプリントされた支持体上で製品をまとめる包装箱及びブランクのセットを提供することを目的とする。
【００２０】
本発明はまた、前記パレット上の製品の外観を改善し、全幅が製品の全幅を超えないパッケージを製造することを目的とする。
【００２１】
これは、棚の上で製品と製品との間に空間を作らないことを可能にし、その結果、使用される厚紙の量を最少化しながらも、小売店舗の棚を補充する速度を最適化することを可能にする。
【００２２】
このために、本発明は、本質的に、中間部分の全幅がその端部の全幅よりも大きい実質的に長円形の製品のための、厚紙シート又は段ボール材料でできた底及びふたを含む包装箱であって、ふたが、上壁によって互いに接続された二つの側壁を含み、下壁及び上壁が、前記全幅よりも小さい又はそれに等しい幅を有し、側壁が、前記製品の各中間部分をきつく詰めることを可能にするために配設された、互いに対向して規則的な間隔で離間した開口によって穿孔されていることを特徴とする包装箱を提案する。
【００２３】
換言するならば、本発明は、製品の肩の最大幅の領域が有孔ゾーンを通過するような様々な地点で穿孔されていることにより、ふたが製品を完全に覆い、製品をまとめた状態で強固に維持する包装箱を提案する。
【００２４】
また、換言するならば、一方では、開示されたような製品、及び他方では、上記のように前記製品がきつく詰められる有孔壁を有する箱、を含むパッケージが提案される。
【００２５】
その結果、製品は、パレットに載せられ、輸送されることができるようにふたの下かつ製品を安定な状態に維持するトレーの上でまとめられるが、そのバッチの周囲の外寸は、ふた及び／又はトレーなしで、所定のサイズの製品の外寸そのものと同一又はそれ未満である。したがって、フィルムの下でまとめられる場合に比較して過度な厚さはなく、その結果、物流管理におけるコスト増はない。
【００２６】
有利には、底は、垂直又は実質的に垂直な壁を有するベースの形態にある。
【００２７】
したがって、複数の実質的に長円形の製品のための、底及びふたを含む包装箱であって、底が、製品の第一端を少なくとも部分的に包囲し、第一の特定の幅を有するための特定の高さの垂直な壁を有するベースの形態にあり、ふたが、各製品の第二端のための規則的な間隔で離間したブロック手段を備えた上壁によって互いに接続された二つの側壁を含み、第一の特定の幅に等しい又は実質的に等しい第二の特定の幅を有し、前記側壁が、前記製品を側面できつく詰めることを可能にするために、対応するブロック手段とで一直線に規則的な間隔で離間した開口によって穿孔されていることを特徴とする包装箱が提供される。
【００２８】
そのうえ、有利な実施態様において、以下の構成のいずれかが使用される。
―上壁は、製品の各上端をきつく詰めることを可能にするために配設された、規則的な間隔で離間した開口によって規則的な間隔で穿孔されて、それにより、前記開口が第二端のブロック手段を形成し、
―底とふたとが一つの部片であり、
―箱は、一連の四つのフラップ、すなわち、エンドタブを有する折りたたみ部分をその二つの自由縁に横方向に備えた、底を形成する主フラップ、主フラップの各側にそれぞれ取り付けられて有孔側壁を形成する二つの側方フラップ、及び側方フラップの一方に取り付けられて上壁を形成するエンドフラップを含むブランクから形成され、他方の側方フラップ及び／又は前記エンドフラップは接着タブを備え、
―パッケージは、ブランクから形成された、互いから手で切り離すことができる二つの要素、すなわち、底を形成する第一の要素及びふたを形成する第二の要素を含み、
―底を形成する第一の要素は、端部折りたたみ部分によって中央壁に対して垂直に互いに固定された四つの側壁が接続された中央壁によって形成された陳列トレーを構成し、
―第二の要素は、一連の三つのフラップ、すなわち、上壁を形成する中央フラップ及び側壁を形成する二つの側方フラップを含むブランクから形成され、それらの下寄り周囲部分は、トレーに対向して二つの側壁にそれぞれ固定されており、
―下寄り周囲部分は、引き裂きによるトレー／ふたの切り離しを可能にする脆いタブを含み、
―ふたの側壁の下寄り周囲部分及びトレーの側壁は、スナップ嵌め接続によって一方を他方に固定する手段を含み、
―ふたの側壁は、その周囲に、折り返されてトレーの底の下に接着されることができる接着タブを含み、
―箱は、製品の端部のくさび止めを確実にすることができる切り欠きを備えた内部コーナーを含む。
【００２９】
本発明はまた、上記のような包装箱を形成するための、厚紙シート又は段ボール材料でできたブランク又はブランクのセットを提案する。
【００３０】
また、本発明は、中間部分の全幅がその端部の全幅よりも大きい実質的に長円形の製品のための、底及びふたを備えた包装箱を形成するための、底を形成することができるフラップ及びふたを形成することができる一連の三つのフラップを含む、厚紙シート又は段ボール材料でできたブランク又はブランクのセットであって、一連のフラップが、前記ふたの上壁を形成することができる上フラップによって互いに接続された、前記ふたの側壁を形成することができる二つの側方フラップを含み、フラップが、底を形成することができ、上フラップが、前記全幅よりも小さい又はそれに等しい幅を有し、側方フラップが、箱が形成されたとき前記製品の各中間部分をきつく詰めることを可能にするための、規則的な間隔で離間し、互いに対向して配設された開口によって穿孔されていることを特徴とするブランク又はブランクのセットを提案する。
【００３１】
非限定的な例として以下に記す実施態様の以下の説明を読むことにより、本発明がより良く理解されよう。
【００３２】
詳細な説明は添付図面を参照する。
【図面の簡単な説明】
【００３３】
【図１Ａ】本発明の第一の実施態様にしたがって製品の周囲に包装箱を形成するステップを示す図である。
【図１Ｂ】本発明の第一の実施態様にしたがって製品の周囲に包装箱を形成するステップを示す図である。
【図１Ｃ】本発明の第一の実施態様にしたがって製品の周囲に包装箱を形成するステップを示す図である。
【図１Ｄ】本発明の第一の実施態様にしたがって製品の周囲に包装箱を形成するステップを示す図である。
【図２】図１に示す完成したパッケージの斜視図である。
【図３】棚に載せるために開封した後の図２のパッケージを示す図である。
【図４Ａ】図２のパッケージに対応するブランクのセットの平面図である。
【図４Ｂ】図２のパッケージに対応するブランクのセットの平面図である。
【図５Ａ】図２のパッケージの側面図及び正面図である。
【図５Ｂ】図２のパッケージの側面図及び正面図である。
【図６Ａ】本発明のさらなる実施態様のブランクのセットの平面図である。
【図６Ｂ】本発明のさらなる実施態様のブランクのセットの平面図である。
【図７Ａ】本発明のさらなる実施態様のブランクのセットの平面図である。
【図７Ｂ】本発明のさらなる実施態様のブランクのセットの平面図である。
【図８Ａ】本発明のさらなる実施態様のブランクのセットの平面図である。
【図８Ｂ】本発明のさらなる実施態様のブランクのセットの平面図である。
【図９Ａ】本発明のさらなる実施態様のブランクのセットの平面図である。
【図９Ｂ】本発明のさらなる実施態様のブランクのセットの平面図である。
【図１０】図１１Ａ及び１１Ｂのブランクに対応する、本発明の包装箱のさらなる実施態様の斜視図である。
【図１１Ａ】本発明のさらなる実施態様のブランクのセットの平面図である。
【図１１Ｂ】本発明のさらなる実施態様のブランクのセットの平面図である。
【図１２Ａ】本発明の実施態様のブランクのセットのさらなる実施態様の平面図である。
【図１２Ｂ】本発明の実施態様のブランクのセットのさらなる実施態様の平面図である。
【図１３Ａ】本発明の実施態様のブランクのセットのさらなる実施態様の平面図である。
【図１３Ｂ】本発明の実施態様のブランクのセットのさらなる実施態様の平面図である。
【図１４Ａ】製品の周囲に配置されたときの本発明のパッケージのさらなる実施態様の斜視図である。
【図１４Ｂ】製品の周囲に配置されたときの本発明のパッケージのさらなる実施態様の斜視図である。
【図１５】ブロックシステムを備えた図１４の完成したパッケージの斜視図である。
【図１６Ａ】図１５のパッケージの形成を可能にするブランクの平面図である。
【図１６Ｂ】図１５のパッケージの形成を可能にするブランクの平面図である。
【図１７Ａ】製品とで形成されたときの本発明のパッケージのトレーのさらなる実施態様の斜視図である。
【図１７Ｂ】製品とで形成されたときの本発明のパッケージのトレーのさらなる実施態様の斜視図である。
【図１８Ａ】本発明のさらなるブランクのセットの平面図である。
【図１８Ｂ】本発明のさらなるブランクのセットの平面図である。
【図１９Ａ】製品との本発明のパッケージの二つのさらなる実施態様の側面図である。
【図１９Ｂ】製品との本発明のパッケージの二つのさらなる実施態様の側面図である。
【図２０】本発明の実施態様のブロック手段を備えたトレーのためのブランクの平面図である。
【図２１】ブロックトレーを備えた本発明のさらなる実施態様の正面図及び側面図である。
【図２２Ａ】本発明のパッケージの二つのさらなる実施態様の正面図及び側面図である。
【図２２Ｂ】本発明のパッケージの二つのさらなる実施態様の正面図及び側面図である。
【図２３】本発明の実施態様の包装材の形態のブランクの平面図である。
【発明を実施するための形態】
【００３４】
図１Ａ〜１Ｄ及び２は、中間部分３の全幅が、たとえば製品の底及びそのキャップ５によって構成されるその端部４及び５の全幅よりも大きい実質的に長円形の製品２のための包装箱１（図２を参照）を斜視で示す。
【００３５】
箱１は、厚紙シート材料、たとえば平坦な厚紙又は厚さ２mmもしくは３mmの段ボールでできた、第一の所定の幅の底６及びふた７を含む。
【００３６】
ふた７は、第一の幅に等しい又は実質的に等しい、たとえば前記第一の幅＋厚紙の二つの厚さに等しい、第二の指定の幅の長方形の上壁１０によって互いに接続された二つの同一の長方形の側壁８及び９を含み、底６は、指定の高さ、たとえばふた及び／又は箱の１／５の高さのベースを形成している。指定の高さは、たとえば、ふた及び／又は箱の全高の１／１０〜１／３である。
【００３７】
第一及び第二の幅は、製品の中間部分３における全幅よりも小さい。
【００３８】
側壁８及び９は、製品の各中間部分３をきつく詰めることを可能にするために配設された、互いに対向して規則的な間隔で離間した楕円形、長円形、長方形又は実質的に長方形の開口１１によって穿孔されている。
【００３９】
より具体的には、この実施態様において、これらの開口１１は、たとえば、きつく詰められる製品の中間部分に依存して、幅１〜２cmのわずかに台形の有孔ストリップによって形成される。
【００４０】
上壁１０そのものもまた、たとえばその底によって形成された、製品の上端４をきつく詰めることを可能にするために配設された、開口１１とで一直線に位置する、すなわち、同じ垂直面にセンタリングされた及び／又は同じやり方で対称にセンタリングされた軸を有する、規則的な間隔で離間した楕円形又は円形の水平方向開口１２（換言するならば、水平方向開口の中心又は垂直軸が開口１１の垂直対称軸と平行である）によって穿孔されている。
【００４１】
図１Ａ〜３に開示する実施態様において、底及びふたは、図４Ａ及び４Ｂに示す二つのブランクによって形成される。この場合、トレーの形状の底を形成することができる第一のブランク１３及びふたを形成することができる第二のブランク１４がある。
【００４２】
陳列トレー６を形成するために配設される第一のブランク１３は、長方形の中央フラップ１５を含み、この長方形の中央フラップは、その各縁１６で、第一の折り目１７により、二つ一組で対向する四つの側方フラップ、すなわち、二つの小さな横方向フラップ１８及び二つの大きな縦方向フラップ１９に接続されており、小さなフラップ１８は、両側に位置する長方形又は台形の端部折りたたみ部分２０を備え、これらの折りたたみ部分は、第二の垂直方向折り目によって又は第一の折り目の延長又は実質的に延長として、これらの横方向フラップ１８の側縁に接続されている。
【００４３】
ふた７を形成することができる第二のブランク１４は、一連の三つのフラップ、すなわち、製品２の底及び／又はキャップ４又は５部分を受けるための長円形の穴１２によって穿孔された長方形の中央フラップ（上壁）１０ならびに平行な折り目２１によって中央フラップ１０に接続された二つの側方フラップ（側壁）８及び９を含み、二つの側方フラップ８及び９もまた、それ自体で、製品のより幅広い中間部分を受けることができる、たとえば実質的に長方形又はわずかに台形の細長い開口の形態の穴１１によって穿孔されている。
【００４４】
図５Ａ及び５Ｂでは、本発明にしたがって製品２４を収容するパッケージ２２及び２３の二つのさらなる実施態様が示されて、ふた２８のより幅広い側壁２７の穴２６への中間部分２５のきつい詰め込みを示すことができ、包装される製品の全体寸法が非包装製品の全体寸法と同一であることを明確に示す。
【００４５】
製品は、トレーの中で上部を下にして（図５Ａ）又は上部を上にして（図５Ｂ）配設することができ、したがって、端部２９又は３０は、そのために形成されたオリフィスを通ってふたの上に突出する。
【００４６】
以下、同一又は同種の要素を指定する場合には同じ参照番号を使用する。
【００４７】
図６Ａ及び６Ｂは、本発明の実施態様のブランクのセット３１を示し、図４Ｂを参照して開示されたタイプのトレーのための第一のブランク１３及びふたのための第二のブランク１４を例示する。第二のブランクは、ふたによって製品を包囲したのちたとえば接着によってトレーの底に固定されることができる実質的に長方形のタブ３４を、各側方フラップ３２の外部に向く両側のその外周に、折り目３３によって接続された状態で備えている。各側方フラップ３２は、たとえば下寄り部分に、そのものは公知のやり方で引き裂くことによってトレー／ふたの切り離しを可能にする脆いタブ３５を含む。
【００４８】
図７Ａ及び７Ｂは、この場合も同じく６個の整列される製品のための、本発明の二つのブランク３７及び３８のさらなるセット３６を示す。
【００４９】
この場合、第一のブランク３７及び第二のブランク３８は、それらの重複領域におけるスナップ嵌め接続によってブランクの一方を他方に固定するための手段３９を含む。より具体的には、第一のブランクは、小さな正方形から形成された一つ、二つ、三つ又は四つ以上の部分４０を、主側方フラップ１９に沿って縦方向に規則的に離間した状態で含む。これらの部分は、押し込みコーナーを形成するように中央が部分的に脆い又はＹ字形にプレカットされており、ふたのフラップの下部４２に形成された相補的形状のプリセットオリフィス４１に隙間なく押し嵌められるように配設されて、そのものは公知のやり方でスナップ嵌め接続を可能にする。
【００５０】
図８Ａ及び８Ｂ、９Ａ及び９Ｂは、６個の整列される製品のための、本発明のブランクのセットの二つのさらなる実施態様４３、４４を提示する。これらのブランクのセットは、第一のブランク４５を有し、その中央フラップ４６は、カットされたコーナー４７を備えて、ほぼ八角形に形成されたトレーを提供している。カットされたコーナーの側方にある横方向フラップ４９の端部折りたたみ部分４８は、各側に、小さな相補的な長方形の端部折りたたみ部分５０を備え、これらが、八角形のトレーを形成するために、前記折りたたみ部分を再び隣接フラップの外面又は内面に接着することを可能にする。
【００５１】
第二のブランク５１は、図６Ａ（図９Ａ）を参照して詳述した、接着タブを備えた引き裂きストリップ５２又は図７Ａ（図８Ａ）を参照して示したスナップ嵌め接続手段５３、５４のいずれかを含む。
【００５２】
ここで開示される実施態様では、第二のブランク５１は側方フラップ５５を含み、この側方フラップ５５は、有孔部分に代わって製品をきつく詰めることを可能にするために、たとえば不連続な直線を形成する、凹部５６を有する側縁を備えている。
【００５３】
図１０、１１Ａ及び１１Ｂは、それぞれ、２×３列の６個の製品５８のためのパッケージ５７、ならびに図８及び９を参照して説明したやり方でそれらを形成することを可能にする対応するブランク５９、６０を提示する。
【００５４】
図１２Ａ、１２Ｂ、１３Ａ、１３Ｂは、トレーの下面に接着される長方形のエンドタブ６１′、６３′を備えた本発明のブランクのセット６１、６２及び６３、６４のさらなる実施態様を提示する。
【００５５】
より具体的には、図１２Ａ及び１２Ｂは、図６を参照して開示したタイプの６個の製品（２×３）のための、プルタブなしのパッケージに対応し、図１３Ａ及び１３Ｂは図１１Ａ及び１１Ｂに対応する。
【００５６】
図１４Ａは、製品の周囲のパッケージ６５の形成を示す。パッケージの下トレー６６は八角形の底を有して、たとえば図９Ｂを参照して開示されたものと同じタイプの製品のキャップの端部の形状に改善されたやり方で追従することを可能にする。
【００５７】
ふたのフラップの外縁６７は、図８Ａ又は９Ａを参照して開示したように凹部を有し、それが、製品と同一である全所要空間を可能にしながらも製品６８の改善された可視性を可能にする。
【００５８】
図１４Ｂ及び１５のふたの実施態様では、ブロック手段６９が設けられている。このブロック手段は、ふたの上フラップ７２と側方フラップ７３との間の折り目をつなぐことによって形成されたふたの上縁７１にまたがり、ふたの内側に押し込まれると、図１５に示すように直角の形状をとってブロックを可能にする一つのプレカット部分７０から形成されている。
【００５９】
図１６Ａ及び１６Ｂは、図１４Ａ〜１５のパッケージを形成することを可能にするブランク７４及び７５を提示する。
【００６０】
ブランク７５は、たとえば、図９Ｂのブランク４５と実質的に同一であるが、中央オリフィス７６を備えている。中央オリフィスは、たとえば実質的に楕円形又は円形であり、中央フラップ７８と縦方向側方フラップ７９との間のつなぎ折り目７７にまたがって、本発明とともに使用することができるトレーの大部分に当てはまるように側方牽引によって容易に切り離すことができる、接着点で固定されたトレーの切り離しを可能にする。
【００６１】
ブランク７４は、破線の形態で凹部８０を有し、角６９を形成するための長方形の脆い部分８１を備え、二つの切り口８２及びつなぎ目８４に対して平行な三つの折り目８３、８３′、８３″、すなわち側方フラップ８５中の二つの折り目及び中央フラップ８６中の一つの折り目を含む。
【００６２】
図１７Ａ及び１７Ｂは、この場合はトレー８８の領域にあり、もはやパッケージ中の製品８９のふたの領域にはない、ブロック手段８７のさらなる実施態様を示す。
【００６３】
ブロック手段は、たとえば、外部折りたたみ部分９２に接続された縦方向折りたたみ部分９１に反転アーチの形態で規則的な間隔でプレカットされた長円形のオリフィス９０で構成されている。ひとたび折りたたみ部分９１がトレーの内部に向けて折りたたまれ、外部折りたたみ部分９２がトレーの底に対して垂直に折られ、平坦化されると、折りたたみなしの折りたたみ部分９２に接続された、二つの側面にある一つのプレカット部分９３が、長円形オリフィスの中にきつく詰められて、各キャップの領域にブロック手段を形成するように提供されている。
【００６４】
図１８Ａ及び１８Ｂは、図１７Ｂのトレーならびに図１９Ａ及び１９Ｂのパッケージを作るための型板又はブランク９４及び９５の平面図を提示する。
【００６５】
これらの図は、製品を中に有するパッケージ９６及び９７の側面図を提示する。製品のキャップは、直立しているか（図１９Ａ）、下を向いており（図１９Ｂ）、したがって、その外形（キャップが底にある）が長円形のオリフィス中にきつく詰められている。
【００６６】
図２０は、ふたに関して図１４Ｂを参照して開示したタイプのブロック装置７１を有するトレーを形成する第一のブランク９８のさらなる実施態様を提示する。
【００６７】
図２１、２２Ａ及び２２Ｂは、本発明のパッケージのさらなる実施態様を側面図で提示する。
【００６８】
パッケージ９９、１００及び１０１は、それぞれ、たとえば、型板９８タイプ（トレー１０２）又は型板９４のタイプ（トレー１００及び１０１）のトレー１０２、１０３、１０４を含む。
【００６９】
ふた１０５、１０６、１０７は、それぞれ、図２を参照することによって開示されたような従来タイプ（１０５）又は側面で底もしくはキャップの形状に追従する面取りコーナー１０８付きケーシングタイプ（１０６、１０７）のいずれかである。
【００７０】
図２３は、必要ならば平行な折り目によって互いに取り付けられた一連の四つの長方形フラップ１０９、１１０、１１１、１１２、すなわち、エンドタブ１１３を両側に有する縁１１１′をその二つの自由折りたたみ部分に横方向に備えた、底を形成する主フラップ１１１、主フラップ１１１の各側にそれぞれ取り付けられて有孔側壁を形成する本発明の二つの側方有孔フラップ１１０及び１１２ならびに側方フラップの一つに取り付けられた、有孔上壁を形成するエンドフラップ１０９を含み、前記フラップ１１０がフラップ１１２と同様にその外縁に接着タブ１１４を含む、本発明のさらなる実施態様のブランクである。
【００７１】
ここで、図１〜３を参照して、本発明の実施態様のパッケージ１の形成を説明する。
【００７２】
平坦に配置された底６から、そのものは公知のやり方で、製品２（たとえば６個）を、そのキャップ５が中央フラップに押し当てられた状態で、並べて配置する。
【００７３】
次いで、接着剤を事前に塗布された側方フラップを上に折って（図１Ｂを参照）、キャップ５をきつく保持するトレー６を形成する。
【００７４】
次いで、ふた７を上に置き、製品２の部分４を上フラップに対向する穴１２に挿入し、この場合は事前に接着剤を内面に塗布されているふたの側壁８及び９を下に折り、下端が、それが接着によって係合するトレーの垂直壁に対向する状態で、製品の中間部分３を側方オリフィス１１に挿入すると、貯蔵し、輸送することができる図２のパッケージ１を得ることができる。
【００７５】
製品を棚の上に積み上げることを望む場合、そのものは公知のやり方で、壁の下部を手で横方向外側に引くことによって切り離したのち、ふたを持ち上げ、取り外して（図３を参照）トレー及び製品を解放し、それらをまとめて棚の上に置くことができる。
【００７６】
上記の結果として、本発明が、より具体的に記載された実施態様に限定されないことはいうまでもない。本発明は、すべての変形態様、特に、製品が例示されたものとは異なる変形態様及び／又はふたとトレーとが逆転している変形態様又はトレーがふたの下縁に外部から接着され、トレーをふたの前記縁に対して把持／押圧することによって隙間が埋め合わされる変形態様を包含する。
【図１Ａ】
0005490681.tif 000002
【図１Ｂ】
0005490681.tif 000003
【図１Ｃ】
0005490681.tif 000004
【図１Ｄ】
0005490681.tif 000005
【図２】
0005490681.tif 000006
【図３】
0005490681.tif 000007
【図４Ａ】
0005490681.tif 000008
【図４Ｂ】
0005490681.tif 000009
【図５Ａ】
0005490681.tif 000010
【図５Ｂ】
0005490681.tif 000011
【図６Ａ】
0005490681.tif 000012
【図６Ｂ】
0005490681.tif 000013
【図７Ａ】
0005490681.tif 000014
【図７Ｂ】
0005490681.tif 000015
【図８Ａ】
0005490681.tif 000016
【図８Ｂ】
0005490681.tif 000017
【図９Ａ】
0005490681.tif 000018
【図９Ｂ】
0005490681.tif 000019
【図１０】
0005490681.tif 000020
【図１１Ａ】
0005490681.tif 000021
【図１１Ｂ】
0005490681.tif 000022
【図１２Ａ】
0005490681.tif 000023
【図１２Ｂ】
0005490681.tif 000024
【図１３Ａ】
0005490681.tif 000025
【図１３Ｂ】
0005490681.tif 000026
【図１４Ａ】
0005490681.tif 000027
【図１４Ｂ】
0005490681.tif 000028
【図１５】
0005490681.tif 000029
【図１６Ａ】
0005490681.tif 000030
【図１６Ｂ】
0005490681.tif 000031
【図１７Ａ】
0005490681.tif 000032
【図１７Ｂ】
0005490681.tif 000033
【図１８Ａ】
0005490681.tif 000034
【図１８Ｂ】
0005490681.tif 000035
【図１９Ａ】
0005490681.tif 000036
【図１９Ｂ】
0005490681.tif 000037
【図２０】
0005490681.tif 000038
【図２１】
0005490681.tif 000039
【図２２Ａ】
0005490681.tif 000040
【図２２Ｂ】
0005490681.tif 000041
【図２３】
0005490681.tif 000042